(57)【要約】本発明は、複数の未加工のオーディオチャンネル（６）から調整されたオーディオ信号（８）を、ヘッドセット（７）にライブ配信するためのパブリックアドレス方法に関し、リスナーの聴覚特性を考慮すること、及び、リスナーの聴覚特性に応じて各チャンネル（６）を補正すること、を含む前処理フェーズ（１００）と、前処理されたチャンネル（６）からの混合オーディオ信号（１６）の生成を含む混合フェーズ（４００）と、背景ノイズの音量を測定すること（５１０）、及び、背景ノイズの音量に応じて混合オーディオ信号（１６）を補正すること（５２０）、を含む後処理フェーズ（５００）と、後処理された調整済みオーディオ信号（８）を、ヘッドセット（７）において復元するフェーズ（６００）と、を含むことを特徴とする。【選択図】図６
2021503863.tif 000002
【特許請求の範囲】
【請求項１】
複数の未加工のオーディオチャンネル（６）から調整されたオーディオ信号（８）を、リスナー２によって着用され又は着用が意図されるヘッドセット（７）に取り付けられた少なくとも一つのスピーカー（７Ｇ，７Ｄ）にライブ配信するための方法であって、
−次のオペレーションを含む前処理フェーズ（１００）と、
・リスナー（２）の聴覚特性を考慮すること；
・リスナー（２）の聴覚特性に応じて各チャンネル（６）を補正すること；
−前処理されたチャンネル（６）からの混合オーディオ信号（１６）の生成を含む混合フェーズ（４００）と、
−次のオペレーションを含む後処理フェーズ（５００）と、
・ヘッドセット（７）に侵入する背景ノイズの音量を測定すること（５１０）；
・背景ノイズの音量に応じて混合オーディオ信号（１６）を補正すること（５２０）；
−後処理された調整済みオーディオ信号（８）を、ヘッドセット（７）において復元するフェーズ（６００）と、
を含むことを特徴とするパブリックアドレス方法。
【請求項２】
各チャンネル（６）に適用される補正が、周波数補正を含むことを特徴とする、請求項１に記載のパブリックアドレス方法。
【請求項３】
各チャンネル（６）に適用される補正が、時間補正を含むことを特徴とする、請求項１又は請求項２に記載のパブリックアドレス方法。
【請求項４】
各チャンネル（６）に適用される補正が、レベル補正を含むことを特徴とする、請求項１〜３のいずれかに記載のパブリックアドレス方法。
【請求項５】
各チャンネル（６）に適用される補正が、クリッピング、圧縮、ゲインから選択される一つ以上の処理を含むことを特徴とする、請求項１〜４のいずれかに記載のパブリックアドレス方法。
【請求項６】
前処理フェーズ（１００）が、
・周波数における各チャンネル（６）のサンプリング；
・チャンネル（６）における一つ以上の周波数範囲の選択；
・選択された周波数範囲におけるリスナー（２）の聴覚特性に応じた、選択された周波数範囲におけるチャンネル（６）への処理の適用；
からなるオペレーションを含むことを特徴とする、請求項１〜５のいずれかに記載のパブリックアドレス方法。
【請求項７】
前処理フェーズ（１００）におけるリスナー（２）の聴覚特性の考慮が、聴覚の快適レベルの考慮、又は、決定を含むことを特徴とする、請求項１〜６のいずれかに記載のパブリックアドレス方法。
【請求項８】
前処理フェーズ（１００）における各チャンネル（６）の補正が、それが実質的にリスナー（２）の聴覚の快適レベルに収まるような修正を含むことを特徴とする、請求項７に記載のパブリックアドレス方法。
【請求項９】
前処理フェーズ（１００）と混合フェーズ（４００）との間に、前処理された各チャンネルから左トラック（１２Ｇ）及び右トラック（１２Ｄ）を形成するためのパノラマ処理オペレーション（２００）を含むことを特徴とする、請求項１〜８のいずれかに記載のパブリックアドレス方法。
【請求項１０】
パノラマ処理（２００）と混合フェーズ（４００）との間に、各チャンネル（６）から生じる左トラック（１２Ｇ）及び右トラック（１２Ｄ）の増幅オペレーション（３００）を含むことを特徴とする、請求項９に記載のパブリックアドレス方法。
【請求項１１】
左混合オーディオ信号（１６Ｇ）、及び、右混合オーディオ信号（１６Ｄ）が生成されるように、混合フェーズ（４００）が、左トラック（１２Ｇ）、及び、右トラック（１２Ｄ）に対し、個別に行われることを特徴とする、請求項１０に記載のパブリックアドレス方法。
【請求項１２】
調整済み左オーディオ信号（８Ｇ）、及び、調整済み右オーディオ信号（８Ｄ）を生成するために、後処理フェーズ（５００）が、左混合オーディオ信号（１６Ｇ）、及び、右混合オーディオ信号（１６Ｄ）に適用されることを特徴とする、請求項１１に記載のパブリックアドレス方法。
【請求項１３】
後処理フェーズ（５００）において、ヘッドセット（７）に統合されたマイクロフォン（１８）により、ヘッドセット（７）を取り囲むノイズの音量の測定（５１０）が実行されることを特徴とする、請求項１〜１２のいずれかに記載のパブリックアドレス方法。
【請求項１４】
後処理フェーズにおいて、
・リスナー（２）の痛みの閾値が考慮され、又は、決定され；
・混合オーディオ信号（８）とヘッドセット（７）に侵入する背景ノイズを含む、ヘッドセット（７）のグローバルサウンドレベルが、いずれの瞬間においてもリスナー（２）の痛みの閾値より小さくなるように、混合オーディオ信号１６が補正される；
ことを特徴とする、請求項１〜１３のいずれかに記載のパブリックアドレス方法。
【請求項１５】
補正の前に、混合オーディオ信号（１６）を測定された背景ノイズ上に調整するための、混合オーディオ信号（１６）に対する遅延アプリケーション（５３０）を、後処理フェーズ（５００）が含むことを特徴とする、請求項１〜１４のいずれかに記載のパブリックアドレス方法。
【発明の詳細な説明】
【技術分野】
【０００１】
本発明は、パブリックアドレスの分野に関する。より正確には、本発明は、コンサートに参加するリスナーのヘッドセットにおいて、コンサートの音声ピックアップから生じるオーディオチャンネルから、調整したオーディオ信号をライブで（即ち、リアルタイムで）配信することを可能にするパブリックアドレス方法及びパブリックアドレスシステムに関する。
【背景技術】
【０００２】
「ライブ」という用語は、コンサートからのサウンドのピックアップと配信の同時性（処理時間内）を特徴付ける。
【０００３】
コンサートは、一般的なパブリックアドレスの対象とする（即ち、ショーの音をスピーカーによって聴衆全体に放送する）ことができる。
【０００４】
記録された異なるサウンドトラックのミキシングを、ショーに参加するリスナー自身が実行できるようにして、ライブで記録されたサウンドをレストアする信号を、リスナーのヘッドセットに配信することを可能にする、ショーのパブリックアドレス技術が、国際出願PCT WO 2016/124865（Augmented Acoustics）により知られている。
【０００５】
この技術によれば、リスナーは、自分の好みに応じて各トラックのレベルを調整できるため、リスナーのサウンド体験を実質的に改善できる。ヘッドセットに背景ノイズ減衰システムが装備されている場合、周囲の音がヘッドセット内で減衰され、リスナーが知覚する音が浄化される。また、リスナーは、ライブショーに参加しているのに、スタジオの音質に近い音質を得ることができる。
【０００６】
この技術は、難聴を患っている人が利用できるようにすることにより、更に改善することができる。
【先行技術文献】
【特許文献】
【０００７】
【特許文献１】国際公開公報ＷＯ２０１６／１２４８６５
【発明の概要】
【発明が解決しようとする課題】
【０００８】
図１において（Mercier et al, The livre des Techniques du son, T.1, Dunod, 3rd ed. 2002, p.193によると）、薄い灰色のゾーンは、正常な人間（即ち、完全な聴覚を有する人間）の聴野を表している。聴野の下限は、聴覚の閾値である。その上限は、痛みの閾値である。聴野に重ねて、音楽フィールド（「音楽」、即ち楽器が通常振動する音響フィールド）が（ミディアムグレーで）表示されている。楽器は、人間の耳に知覚されるように設計されているため、音楽フィールドが聴野に厳密に含まれていることは、驚くことではない。最後に、音声フィールド（「音声」、即ち人間の声が通常振動するフィールド）が（ダークグレーで）表示されている。このフィールドは、音楽フィールドに厳密に含まれている。
【０００９】
図１は、人間の聴覚の大まかな近似を示している。周波数における耳の作用は、１９３０年代にFletcherとMunsonによって形式化された等音線によって、より正確にモデル化され、更に、国際標準化機構によって完成され、標準ISO 226:2003として標準化された。
【００１０】
人間の等音線は、可聴範囲（２０Ｈｚから２０ｋＨｚ）のすべての周波数が１０００Ｈｚでの基準音のレベルに等しい感覚量（ラウドネスと呼ばれる）を引き起こす強度を表す（Mercier et al, op.cit., p.195）。
【００１１】
図２は、正常な人間の等音線を、１０ｄＢ  ＳＰＬ（ＳＰＬ：音圧レベル）の増分で示している。等音線はボールドで表示され、以下に対応している：
−下部において（１０ｄＢ  ＳＰＬの音圧レベルの下）、聴覚の閾値まで：
−中間部において、通常の快適レベルまで（５０ｄＢ  ＳＰＬの音圧レベルに対応）；
−上部において、痛みの閾値まで（１２０ｄＢ  ＳＰＬの音圧レベル）。
【００１２】
苦しんでいる人の観点からは、難聴は主観的であり、定量化が難しく、単に良く聞こえない（又は、聞こえない）ということになる。
【００１３】
但し、難聴を（様々な方法で）測定することは可能である。
【００１４】
図１は、難聴を患っている人の聴野の限界を点線で示している。このように縮減された聴野は、音楽フィールド又は音声フィールドを完全には包含していないことが分かる。
【００１５】
図３は、５０歳の人の聴覚スペクトル全体（２０Ｈｚ〜２０ｋＨｚ）の平均聴力損失レベル（破線の曲線）を、２０歳の正常な人の聴覚（実線の曲線）との比較において示している。（この曲線（単なる一例）は、老人性難聴（即ち、年齢による聴覚障害）の現象を示している。）
【００１６】
図４は、難聴に苦しむ人の等音線を示している。これは、図１及び図３よりも正確であり、被験者の聴野が狭くなっていることを示しているだけではなく、聴覚の閾値と、痛みの閾値に関する情報をも提示しており、この例では、各閾値が大幅に影響を受けていることがわかる。
【００１７】
より正確には、低周波数では痛みの閾値は低くなり、高周波数では聴覚の閾値は高くなることがわかる。換言すると、図４で考慮される耳の場合、高レベルの低音は痛く感じられ、低レベルの高音は知覚されない。
【００１８】
一般に、難聴に苦しむ人は、とりわけ、音声の誤った知覚の結果に苦しみ、その結果、社会的相互作用が減少し、細かくは、自分自身への特定の引きこもりが生じる。
【００１９】
これが、補聴器の専門家が主に声の処理に集中し、音楽の処理を放棄している理由である。恐らく、音楽の処理は、過度に制限された患者基盤のために確保された贅沢であると（間違って）考えられているから、或いは、音楽フィールドは振幅が大きく、また、豊かさが大きいため、音楽の処理はより複雑であると（正しく）考えられているためである。
【００２０】
しかし、１９７０年代から１９９０年代にかけて、過度に高いレベルでヘッドセットを使用して音楽を聴いた（サウンドレベルリミッターが導入される前の）多くの音楽愛好家は、今日、中程度から重度の難聴に悩まされている。人口の２０％が影響を受けていると推定される。
【００２１】
ただし、補聴器は、音声を（関係周波数で信号を増幅することによって）効果的に聞こえるようにすることができるが、音楽については、満足できる程度にレストアすることはできない。
【００２２】
更に、補聴器に対し、音楽を処理できるようにするために（例えば、処理する周波数範囲を拡げることによって）、いくつかの適応を行うだけでは不十分である。
【００２３】
実際、Mercier et al（op.cit. p.50）に示されているように、耳は、低音、中音、及び、高音の強度の変化に対し、同じようには反応しない。しかし、楽器の音は、ほとんどの部分でハーモニクスに富んでいる。音の動的変動（例えば、クレッシェンド）は、音声合成において頻繁に実行されるような単純な音の拡大ではなく、耳にとって敏感なゾーン（約３０００Ｈｚ）のスペクトルの濃縮に対応する。
【００２４】
スペクトルの低音域と高音域の成分を増幅する高忠実度システム（hi-fi）の製造者によく知られている生理学的補正装置に頼るだけで十分だと考えるのは間違っているだろう。これらの生理学的補正装置は、等音線が大きく異なることが示される難聴者ではなく、正常な人々の聴き心地を改善することを目的としているからである。
【００２５】
実際、補聴器の音量を調整する以外に音圧を制御することができないコンサートは、難聴者にとって最悪の状況である。今日では、難聴者がライブ音楽を聴くことは事実上禁止されている。
【００２６】
本発明は、難聴を患っている人が、音楽をライブで聴くときに、聴き心地を回復できるようにすることにより、これを克服できるようにすることを目的とする。
【課題を解決するための手段】
【００２７】
この目的のため、複数の未加工のオーディオチャンネルから調整されたオーディオ信号を、リスナーによって着用され又は着用が意図されるヘッドセットに取り付けられた少なくとも一つのスピーカーにライブ配信するためのパブリックアドレス方法が提案される。この方法は以下を含む。
−次のオペレーションを含む前処理フェーズ：
・リスナーの聴覚特性を考慮すること；
・リスナーの聴覚特性に応じて各チャンネル（６）を補正すること；
−前処理されたチャンネルからの混合オーディオ信号の生成を含む混合フェーズ：
−次のオペレーションを含む後処理フェーズ：
・ヘッドセットに侵入する背景ノイズの音量を測定すること；
・背景ノイズの音量に応じて混合オーディオ信号を補正すること；
−後処理された調整済みオーディオ信号を、ヘッドセットにおいて復元するフェーズ：
【００２８】
このようにして復元されたオーディオ信号は、リスナーの心理音響的性質、特に、難聴に適応される。従ってこれは、カスタマイズされた信号であり、オープンリスニングとしては聞こえないスペクトルの可聴領域をレンダリングできるだけでなく、聴き心地を向上させることもできる。
【００２９】
各チャンネルに適用される補正は、例えば、周波数補正、及び／又は、時間補正、及び／又は、レベル補正を含む。
【００３０】
実際には、各チャネルに適用される補正には、クリッピング、圧縮、ゲインから選択される一つ以上の処理を含めることができる。
【００３１】
更に、前処理フェーズには、
・周波数における各チャンネルのサンプリング；
・チャンネルにおける一つ以上の周波数範囲の選択；
・選択された周波数範囲におけるリスナーの聴覚特性に応じた、選択された周波数範囲におけるチャンネルへの処理の適用；
からなるオペレーションを含めることができる。
【００３２】
前処理フェーズにおけるリスナーの聴覚特性の考慮は、例えば、聴覚の快適レベルの考慮、又は、決定を含む。
【００３３】
前処理フェーズにおける各チャンネルの補正は、それが実質的にリスナーの聴覚の快適レベルに収まるような修正を含む。
【００３４】
更に、前処理フェーズと混合フェーズとの間に、前処理された各チャンネルから左トラック及び右トラックを形成するために、パノラマ処理オペレーションを提供することができる。
【００３５】
パノラマ処理と混合フェーズとの間に、各チャンネルから生じる左トラック及び右トラックの増幅オペレーションを提供することもできる。
【００３６】
有利には、左混合オーディオ信号、及び、右混合オーディオ信号が生成されるように、混合フェーズが、左トラック、及び、右トラックに対し、個別に行われる。
【００３７】
その後、調整済み左オーディオ信号、及び、調整済み右オーディオ信号を生成するために、後処理フェーズが、左混合オーディオ信号、及び、右混合オーディオ信号に適用される。
【００３８】
後処理フェーズにおいて、ヘッドセットに統合されたマイクロフォンにより、ヘッドセットを取り囲むノイズの音量の測定を実行することができる。
【００３９】
後処理フェーズにおいて、
・リスナーの痛みの閾値が考慮され、又は、決定され；
・混合オーディオ信号とヘッドセットに侵入する背景ノイズを含む、ヘッドセットのグローバルサウンドレベルが、いずれの瞬間においてもリスナーの痛みの閾値より小さくなるように、混合オーディオ信号が補正されることが好ましい。
【００４０】
最後に、補正の前に、測定された背景ノイズ上に混合オーディオ信号を調整するための、混合オーディオ信号に対する遅延アプリケーションを、後処理フェーズが含んでいることが好ましい。
【図面の簡単な説明】
【００４１】
本発明の他の目的および利点は、添付の図面を参照して以下に与えられる実施形態の説明に照らして明らかになるだろう。
【図１】図１は、正常な人の聴野（薄い灰色）、特定の難聴を患っている人の聴野（点線）、音楽フィールド（「音楽」、ミディアムグレー）、及び、音声フィールド（「音声」、ダークグレー）を示す音量・周波数の図である。
【図２】図２は、正常な人間（即ち、完全な聴覚を有する人間）の等音線を示す音量・周波数の図である。
【図３】図３は、正常な人間の聴力損失レベル（ほぼゼロ）を実線で示し、老人性難聴を患っている人の聴力損失レベルを破線で示す損失・周波数の図である。
【図４】図４は、特定の難聴を患っている難聴者の等音線を示す音量・周波数の図である。
【図５】図５は、聴衆の中に存在する難聴者に、コンサートのための良好な聴き心地を提供することを目的とする、パブリックアドレスシステムの聴衆向けのライブパブリックアドレスの対象となるコンサートが行われるステージを示す図である。
【図６】図６は、パブリックアドレスシステムの機能構成を部分的に示す図である。
【図７】図７〜図９は、三つの異なる処理を受けた同じ信号（処理によって得られる信号が破線で示される）を示す音量・周波数の図（カットオフ（図７））である。
【図８】図７〜図９は、三つの異なる処理を受けた同じ信号（処理によって得られる信号が破線で示される）を示す音量・周波数の図（圧縮（図８））である。
【図９】図７〜図９は、三つの異なる処理を受けた同じ信号（処理によって得られる信号が破線で示される）を示す音量・周波数の図（ゲイン（図９））である。
【発明を実施するための形態】
【００４２】
図５は、一人又は複数のリスナー２を含む公衆（又は聴衆）のために、音楽及び（適切な場合には）音声を含む音を発するコンサートのパブリックアドレスシステム１を示す。このコンサートは、発せられた音が、（リアルタイムの配信遅延、又は、音が空中を移動する時間の影響を受けるが）直接復元されるため、「ライブ」である。
【００４３】
コンサートが行われる場所は、閉じられているとは限らず、特に、部屋、遊歩道、ステージ、アリーナ、又は、スタジアムとすることができる。屋根があってもよいし、屋外であってもよい。
【００４４】
コンサートは、楽器（楽器奏者によって演奏される）と、該当する場合は歌手を含む音源４で構成されるバンド３によって行われる。
【００４５】
コンサートは、音声ピックアップから恩恵を受け、パブリックアドレスシステム１は、この目的のため、それぞれが一つ又は複数の音源４（楽器又は楽器のグループ、音声又は音声のグループ）に向けられたマイクロフォン５を備える。各マイクロフォン５は、未加工のオーディオチャンネル６を形成する電気信号の形で、一つ又は複数の音源４から生じる音を拾う（又は記録する）。マイクロフォン５は、（例えば、スタンドに取り付けられることにより）固定されてもよいし、例えば、歌手により保持又は携帯されるか、或いは、移動楽器（例えば、ベースギター又はエレクトリックギター）に統合されてもよい。
【００４６】
各リスナー２は、少なくとも一つのスピーカー７Ｇ，７Ｄ（有利には、リスナー２の左右の耳にそれぞれ対応する一対のスピーカー７Ｇ，７Ｄ）を備えたヘッドセット７を着用する（又は、着用が意図される）。
【００４７】
パブリックアドレスシステム１は、ヘッドセット７のスピーカー７Ｇ，７Ｄにおいて、異なる未加工のオーディオチャンネル６からの調整済みオーディオ信号８をライブ配信するように設計されている。
【００４８】
この目的のため、パブリックアドレスシステム１は、特に、一つ又は複数のコンソール９（それぞれが少なくともミキシング機能を統合する）を備えている。コンソール９は、各チャンネル６に信号処理を適用するようにプログラムできる統合プロセッサを装備することができる。
【００４９】
例示では、パブリックアドレスシステム１は、コンソール９に接続され、各チャンネル６に信号処理を適用するようにプログラムされたプロセッサを含む一つ又は複数のサーバー１０，１１を有している。
【００５０】
コンソール９は、異なるチャンネル６から生じるいくつかのトラック１２、又は、チャンネル６自体を、並行して収集するように構成される。チャンネル６は、例えば８つであるが、その数は限定されない。
【００５１】
図５に示すにように本実施形態においては、パブリックアドレスシステム１は、信号処理機能を統合するアプリケーションサーバー１０と、通信サーバー１１とを備えている。通信サーバー１１は、一つ以上のアンテナを使用した無線（例えば、標準規格ＩＥＥＥ８０２．１１（Wi-Fi）に準拠した無線）を介して行われる信号の配信を保証するように構成された一つ以上のルーター１３に接続される（及び、これを管理する）。
【００５２】
各リスナー２は、コンソール９から、又は、通信サーバ１１から少なくとも１つのルータ１３を介して受信した信号を、受信及び再生するための装置１４を装備している。この装置１４は、有線で（図示されているように）、又は、無線（例えば、標準規格ＩＥＥＥ８０２．１５（Bluetooth（登録商標））に準拠した無線）を介して、ヘッドセット７と直接的又は間接的に接続されている。
【００５３】
図面（より正確には図５及び図６）に示すように本実施形態においては、パブリックアドレスシステム１は、スマートフォン、タブレット、又は、ポータブルコンピュータタイプの携帯端末１５を含む。携帯端末１５は、装置１４と対話するように（実際には、プログラムされたアプリケーションを含むように）構成されている。
【００５４】
端末１５は、特に、プロセッサ、一次無線通信インターフェース（装置１４との対話を可能にする、例えば、標準規格ＩＥＥＥ８０２．１５（Bluetooth（登録商標））に準拠した）、及び、グラフィックインターフェース（例えば、タッチスクリーン）を備えている。
【００５５】
端末１５のプロセッサは、カスタマイズ可能な様々な設定（例えば、バランス又はイコライザー）を、リスナー２が、グラフィックインターフェースを介して利用できるようにする命令を含むアプリケーション（例えば、ダウンロードプラットフォームから、又は、通信サーバー１１から、リモートでダウンロードすることができるアプリケーション）を統合することができる。
【００５６】
ルータ１３を介してコンソール９又はサーバ１１から受信した信号が、ヘッドセット７のスピーカー又はスピーカー７Ｇ，７Ｄにおいて復元される前に、それらの設定が受信信号に適用されるように、端末１５のプロセッサは、それらの設定を、装置１４に対して通信するようにプログラムされている。
【００５７】
パブリックアドレスシステム１は、リスナー２の聴覚特性が記憶されているデータベースに接続され、又は、そのようなデータベースを統合する。それらの聴覚特性は、例えば、等音線の形を有している。
【００５８】
本実施形態においては、リスナー２の聴覚特性は、次の曲線（等音線）のうちの少なくとも一つを含んでいる。
−リスナー２の聴覚の閾値を表す曲線；
−リスナー２の痛みの閾値を表す曲線；
−リスナー２の音響快適レベルを表す曲線。
【００５９】
各等音線は、事前の測定フェーズの間に構築することができる。測定フェーズにおいては、音刺激（事前に録音され、選択肢のリストから選択された、リスナー２の反応を喚起するための音刺激）が、リスナー２のヘッドセット７に配信され、これにより、リスナー２が知覚する刺激のレベルに関する情報が得られる。
【００６０】
この測定フェーズは、ヘッドセット７が接続される端末１５のプロセッサに実装されたアプリケーションによって実施することができる。
【００６１】
この場合、各リスナー２に特有の聴覚特性は、各リスナー２の端末１５に記憶させることができる。或いは、各リスナー２の聴覚特性は、例えば、そのリスナー２に関連付けられた識別子を介して（任意に、パスワードとともに）、コンソール９又は通信サーバー１１が接続できるリモートデータベースに記憶される。
【００６２】
これらの聴覚特性は、様々な未加工のチャンネル６から調整済みオーディオ信号８を生成する目的で、各チャンネル６に一つ以上の補正を適用するために使用され、リスナー２に良好な聴き心地を確保するために、リスナー２のヘッドセット７への配信が意図される。
【００６３】
この目的のため、パブリックアドレスシステム１は、三つの連続するフェーズを適用するように設計されている。
【００６４】
第一の前処理フェーズ１００は、
・リスナー２の聴覚特性を考慮すること、
・リスナー２の聴覚特性に応じて各チャンネル６を補正するオペレーション
を含む。
【００６５】
図６に示すように、各チャンネル６は、この目的のために、アプリケーションサーバー１０（ソフトウェアモジュールの形でコンソール９に統合され得る）を通過する。
【００６６】
各チャンネル６は、マイクロフォン５によって実行されるピックアップから生じる電気信号の形態を有する。従って、チャンネル６は、特定の音源４のオーディオスペクトルを表し、楽器又は楽器のグループ（例えば、交響楽団のバイオリン）、或いは、一つ以上の音声（例えば、歌手や合唱団）から構成することができる。
【００６７】
各チャンネル６の信号は、周波数（対数目盛でもよい）に従って、電圧又は音圧レベルの電力特性を（好ましくは対数目盛で）示す曲線によって表すことができる。
【００６８】
図７、図８、及び、図９は、チャンネル６の局所的なレベル変動を示す抽出曲線（スケールは提供されていない）を実線で示している。
【００６９】
各チャンネル６には、いくつかのタイプの補正を適用することができる：
−周波数補正、
−時間補正、
−レベル補正。
【００７０】
これらの補正はそれぞれ、単独で、又は、他の一つ以上の補正と組み合わせて適用することができる。
【００７１】
従って、各チャンネル６に適用される補正１００は、以下から選択される一つ以上の処理を含むことができる：
−クリッピング（図７）（これは、チャンネル６の信号のローカルレベルが、リスナー２の痛みの閾値又は快適レベルに対応する閾値を超えたとき（任意に、安全マージンで）に適用できる。）；
−圧縮（図８）（これは、チャンネル６の信号の局所的な傾きが垂直すぎる場合（レベルが、リスナー２の痛みの閾値又は快適レベルをすぐに超える可能性があることを示す）に適用できる。）；
−ゲイン（図９）（これは、チャンネル６の信号のローカルレベルが、聴力閾値又はリスナー２の快適レベルよりも低いときに適用できる。）
【００７２】
各チャンネル６に個別に適用されるこの前処理フェーズ１００においては、リスナー２の聴覚の快適レベルが好適に考慮される。快適レベルが事前に記録されていない場合（及び、データベースに保存されていない場合）には、必要に応じて（特に、リアルタイムで）（例えば、痛みの閾値が利用できる場合は、痛みの閾値から計算することにより）決定することができる。
【００７３】
実際、リスナー２の快適レベルは、リスナー２の痛みの閾値を、一定の減衰量（例えば、１０ｄＢ）を与えて減少させた値と等しいと考えることができる。
【００７４】
前処理フェーズ１００における各チャンネル６の補正には、それが実質的に（少なくとも局所的に）リスナー２の聴覚の快適レベルに収まるような修正を含めることができる。
【００７５】
実際には、前処理フェーズ１００は、例えば、
・周波数における各チャンネルのサンプリング（通常、アナログ−デジタルコンバーターを使用）；
・チャンネル６における一つ以上の周波数範囲の選択；
・選択された周波数範囲におけるチャンネル６への処理（選択された周波数範囲におけるリスナー２の聴覚特性に応じた処理）の適用；
からなるオペレーションを含む。
【００７６】
第一に、このシーケンスは、各チャンネル６に、アナログ処理ではなく、デジタル処理の適用を可能にする。第二に、このシーケンスは、リスナー２の聴き心地に悪影響（例えば、レベルが、リスナー２の快適レベルよりも大きいこと、又は、リスナー２の聴力閾値よりも低いことによる悪影響）を与えることなく、サンプリングされた未加工の信号がそのままリスナー２に配信されない周波数範囲への補正を制限することを可能にする。
【００７７】
前処理フェーズ１００の後、前処理されたチャンネル６からの混合オーディオ信号１６の生成を含む混合フェーズ４００が続く。
【００７８】
図６に示すにように本実施形態においては、前処理された各チャンネル６から、左トラック１２Ｇ及び右トラック１２Ｄを形成するために、前処理フェーズ１００と混合フェーズ４００との間に、パノラマ処理オペレーション２００が提供される。パノラマ処理２００は、コンソール９又はアプリケーションサーバー１０によって適用されることができる。
【００７９】
この場合、コンソール９のアウトプットにおいて左混合オーディオ信号１６Ｇ、及び、右混合オーディオ信号１６Ｄが生成されるように、混合フェーズ４００は、各チャンネル６の前処理から生じる左トラック１２Ｇ、及び、右トラック１２Ｄに対し、個別に行われる。
【００８０】
図６にも示されているように、パノラマ処理２００、及び、混合フェーズ４００の間に、各チャンネル６から生じる左トラック１２Ｇ、及び、右トラック１２Ｄを増幅するオペレーション３００を更に提供することができる。この増幅３００は、コンソール９、又は、アプリケーションサーバー１０によって適用されることができる。
【００８１】
各チャンネル６は、そのスペクトルの特定の部分において、リスナー２の聴覚特性を考慮に入れて補正されているため、混合オーディオ信号１６（又は、左右に分離された混合オーディオ信号１６）は、スペクトル全体にわたって、この聴覚特性に適合されている。特に、混合オーディオ信号１６を、リスナー２の快適レベルに適合させることができる。
【００８２】
但し、コンサートはライブ配信される。その結果、オープンフィールドで伝播する自然な音が生成される。更に、コンサートは、聴衆に向けられた一般パブリックアドレスの対象（パブリックアドレスシステム１、又は、別のシステムによる）とすることができる。この目的のため、ピックアップされた音（例えば、ヘッドセット７に送られる信号の生成及び処理に使用されるマイクロフォン５によってピックアップされた音）は、スピーカー１７によって放送される。
【００８３】
その結果、リスナー２は、（ヘッドセット７を通して）背景ノイズ（音圧が、オープンフィールドにおける自然な音の伝播、及び、スピーカー１７を介した一般パブリックアドレスによる放送から生じる背景ノイズ）にさらされる。
【００８４】
リスナー２がステージからかなり離れている場合、背景ノイズの音圧は、ほとんどの部分が、スピーカー１７からの放送（聴衆の周囲又は間に分散し、更に、ピックアップされた音から再構成された音響信号が増幅される）によるものとなる。
【００８５】
その結果、リスナー２は二つの音響信号を感知する：
−コンソール９において生成され、ヘッドセット７に配信される混合信号；
−ヘッドセット７を貫いて侵入する背景ノイズ。
【００８６】
これら二つの信号の総和は、リスナー２の聴き心地に悪影響を及ぼし得ると理解される。特に、それらの信号の総和が、リスナー２の快適レベルよりも大きい（或いは、痛みの閾値さえも超える）音圧レベルをリスナー２に及ぼしてしまう可能性がある。
【００８７】
リスナー２のヘッドセット７の外側の背景ノイズは、減衰させることができない。しかし、ヘッドセット７内に侵入する背景ノイズについては、減衰させることができる。
【００８８】
リスナー２の耳を取り囲むヘッドセット７のパッド（遮音特性を有するフォームで裏打ちされていることが有利である）によって、少なくとも部分的には、減衰が可能である。
【００８９】
更に、減衰は、アクティブノイズリダクションシステム（ＡＮＲ）（ヘッドセット７に装備することが有利である）によって得ることができ、又は、改善することができる。このノイズリダクションシステムは、マイクロフォン１８（ヘッドセット７に統合され、背景ノイズをピックアップする）と、制御エレクトロニクス（ヘッドセット７に統合され、背景ノイズのレベルを推定するために、ピックアップされたノイズを分析し、背景ノイズとは位相が反対のカウンターノイズを生成する）を備えている。カウンターノイズは、ヘッドセット７においてリアルタイムに配信され、ヘッドセット７内で背景ノイズが減衰される。
【００９０】
但し、そのようにして減衰されたとしても、背景ノイズは、コンソール９において生成される混合信号に加えられることにより、リスナー２の聴き心地に悪影響を及ぼす可能性がある。
【００９１】
このため、混合フェーズ４００の後、下記のオペレーションを含む後処理フェーズ５００が提供される。
・ヘッドセット７に侵入する背景ノイズの音量を測定するオペレーション５１０；
・背景ノイズの音量に応じた、混合オーディオ信号１６のグローバル補正のオペレーション５２０。
【００９２】
後処理フェーズ５００は、装置１４によって実行される。装置１４には、混合オーディオ信号１６（より正確には、図面に示す例では、左右の混合オーディオ信号１６Ｇ，１６Ｄ）が通信される。
【００９３】
より正確には、この後処理フェーズ５００においては、
・リスナー２の痛みの閾値が考慮され、又は、決定され；
・ヘッドセット７のグローバルサウンドレベル（混合オーディオ信号とヘッドセット７に侵入する背景ノイズを含む）が、いずれの瞬間においてもリスナー２の痛みの閾値より小さくなるように、混合オーディオ信号１６が補正される。
【００９４】
リスナー２のために記憶された聴覚特性に、痛みの閾値が含まれている場合、それはシンプルに考慮に入れられる。痛みの閾値は記憶されていないが、聴覚の快適レベルは記憶されているという場合、痛みの閾値は、快適レベルから計算することにより（例えば、所定のゲイン（通常１０ｄＢ）を加えることにより）、決定することができる。
【００９５】
混合オーディオ信号１６（コンソール９から生じる）と背景ノイズは、いずれも同じ音源４から生じるが、それらは同期していないことが観察される。実際、混合オーディオ信号１６は、電子速度（ほぼ光速に近い）でリスナー２に到達するが、背景ノイズは、音速（電子速度よりもはるかに遅い）でリスナーに到達する。
【００９６】
パブリックアドレスシステム１によって適用される信号処理を考慮に入れても、混合オーディオ信号１６は、背景ノイズに先行する。従って、リスナー２がリスニング中にエコーを発生させないように、それらを同期させる必要がある。
【００９７】
このため、後処理フェーズ５００は、混合オーディオ信号１６に適用される遅延オペレーション５３０を含むことが好ましい。このオペレーションは、この目的のためにディレイライン（ハードウェア又はソフトウェア）を備えた装置１４によって実行される。これを目的として、混合オーディオ信号１６と背景ノイズの間の遅延を推定する（オペレーション５４０）ために、混合オーディオ信号１６と背景ノイズとの相関関係が作成され、混合オーディオ信号１６が、背景ノイズ上に調整されるよう遅延される。
【００９８】
遅延オペレーション５３０は、グローバル補正のオペレーション５２０に先行することに留意されたい。
【００９９】
イコライゼーション設定は、リスナーによってコントロールできるため、イコライゼーション設定５５０を考慮した後にのみ、グローバル補正のオペレーション５２０を適用することが更に有利である。
【０１００】
図面に示す例では、コンソール９が左混合オーディオ信号１６Ｇ、及び、右混合オーディオ信号１６Ｄを生成し、調整済み左オーディオ信号８Ｇ、及び、調整済み右オーディオ信号８Ｄを（後処理によって）生成するために、後処理フェーズ５００が、これらの信号１６Ｇ，１６Ｄのそれぞれに適用される。
【０１０１】
図６に示すように、装置１４は、リスナー２の安全のために留保された、レベルの手動一般設定の機能５６０を備えており、これは、調整済み信号８に対して全体的に（任意に、調整済み左信号８Ｇ、及び、調整済み右信号８Ｄに分離して）適用することができ、また、リスニング音量を決定することができる。
【０１０２】
この後処理フェーズ５００の後（任意に、図６に示すように、増幅５７０の後）、ヘッドセット７において、後処理された調整済みオーディオ信号８（ここでは左と右）を復元するフェーズ６００が続く。
【０１０３】
従って、上述のパブリックアドレス方法は、難聴を患っている人々が、ライブ配信される音楽を聴く際に、難聴であるにもかかわらず、それらの人々の聴覚特性が考慮に入れられて、聴き心地を回復させることができる。
【０１０４】
各リスナー２には、独自の聴覚特性があるため、カスタマイズされたリスニングによるメリットが得られる。考慮される背景ノイズのインパクトを減衰できることがわかる。但し、背景ノイズを完全に抑制することは、必ずしも望ましいことではないことに注意されたい。これは、聴衆に完全に統合されている感覚を分離することに慣れているリスナー２において利用され得る。
【図１】
2021503863.tif 000003
【図２】
2021503863.tif 000004
【図３】
2021503863.tif 000005
【図４】
2021503863.tif 000006
【図５】
2021503863.tif 000007
【図６】
2021503863.tif 000008
【図７】
2021503863.tif 000009
【図８】
2021503863.tif 000010
【図９】
2021503863.tif 000011
【国際調査報告】
2021503863.tif 000012
2021503863.tif 000013
2021503863.tif 000014
2021503863.tif 000015
2021503863.tif 000016
2021503863.tif 000017